(57)【要約】【課題】途中まで見逃し、録画もされていない番組は、最初から視聴することができない。【解決手段】選択した番組を一意に特定するリンク情報を保存し、保存したリンク情報を基に、番組に対する操作を可能とする、ネットワークを利用し、番組を取得する放送受信装置。リモコン１０２からの要求を、操作部１０７にて振り分け、番組を特定する情報の保存要求であれば、リンク情報選択部１０８を介して番組の特定情報を取得し、特定情報から番組が格納されているサーバと番組のＵＲＬを生成、保管する。ユーザの望む時に、番組のＵＲＬを指定することにより、再生、録画を行うことができる。【選択図】図１
2009105655.tif 000002
【特許請求の範囲】
【請求項１】
ユーザ操作により、選択した番組を一意に特定するリンク情報を保存し、保存したリンク情報を基に、該当する番組に対する操作を可能とする、ネットワークを利用し、番組を取得する放送受信装置であって、
リモコンからの要求を、操作部に転送する赤外線通信部と、
前記赤外線通信部からのリンク情報取得要求をリンク情報取得部に、番組一覧表示要求を番組一覧表示部に、再生要求を番組取得部に振り分ける操作部と、
前記操作部からのリンク情報取得要求により、チューナー部、ＥＰＧ部、ネットワークアクセス部、リンク情報生成部のいずれかから、リンク情報を取得し、リンク情報管理部に前記リンク情報を転送するリンク情報選択部と、
前記リンク情報選択部からのリンク情報取得要求により、前記リンク情報選択部にリンク情報を提供し、前記リンク情報生成部からのチャネル取得要求により、前記リンク情報生成部にチャネルを提供するチューナー部と、
前記リンク情報生成部からの時刻取得要求により、前記リンク情報生成部に時刻を提供するタイマ部と、
前記リンク情報選択部からのリンク情報取得要求により、前記リンク情報選択部にリンク情報を提供するＥＰＧ部と、
前記リンク情報選択部からのリンク情報取得要求により、前記リンク情報選択部にリンク情報を提供するネットワークアクセス部と、
前記リンク情報選択部からのリンク情報生成要求により、前記チューナー部にチャンネル取得要求を行い、チャンネルを取得し、タイマ部に時刻取得要求を行い、時刻を取得し、初期設定部に地域情報取得要求を行い、地域情報を取得し、チャネルと時刻と地域情報からリンク情報を生成し、前記リンク情報選択部に前記リンク情報を提供するリンク情報生成部と、
前記リンク情報生成部からの地域情報取得要求により、前記リンク情報生成部に地域情報を提供する初期設定部と、
前記リンク情報選択部からのリンク情報保存要求により、前記リンク情報を保存するリンク情報管理部と、
前記リンク情報管理部からのＵＲＬ生成要求により、番組のタイトルと番組のリンク先を生成するＵＲＬ生成部と、
前記ＵＲＬ生成部にて生成された番組のタイトルと番組のリンク先を管理するＵＲＬ管理部と、
前記操作部からの番組一覧表示要求により、ＵＲＬ管理部に番組のタイトルと番組のリンク先の取得要求を行い、番組のタイトルと番組のリンク先を取得し、表示部に番組一覧の表示を要求する番組一覧表示部と、
前記番組一覧表示部からの番組一覧と、番組取得部からの再生画像を表示する表示部と、
前記操作部からの再生要求により、ＵＲＬ管理部に番組のタイトルと番組のリンク先の取得要求を行い、番組のタイトルと番組のリンク先を取得し、ネットワークアクセス部とネットワークを介し、番組のリンク先である番組格納サーバから番組を取得後、再生し、表示部に表示を要求する番組取得部を備えることを特徴とするネットワーク番組視聴機能付放送受信装置。
【請求項２】
前記番組取得部は、前記リモコン、前記赤外線通信部、前記操作部を経由した録画要求により、前記ＵＲＬ管理部に番組のタイトルと番組のリンク先の取得要求を行い、番組のタイトルと番組のリンク先を取得し、前記ネットワークアクセス部とネットワークを介し、番組のリンク先である番組格納サーバから番組を取得後、再生し、前記表示部に表示を要求すると同時に、番組保存部に番組の保存を要求することを特徴とする請求項１に記載のネットワーク番組視聴機能付放送受信装置。
【請求項３】
前記リンク情報は、チャンネル、時刻、地域情報からなり、チャネルと地域情報とにより、番組が格納されている番組格納サーバを特定し、時刻により、番組を特定することを特徴とする請求項１に記載のネットワーク番組視聴機能付放送受信装置。
【請求項４】
前記リンク情報選択部は、チューナー部、ＥＰＧ部、ネットワークアクセス部、リンク情報生成部に存在する有効なリンク情報を全て取得し、前記リンク情報管理部に転送することを特徴とする請求項１に記載のネットワーク番組視聴機能付放送受信装置。
【請求項５】
前記ＵＲＬ管理部は、前記リンク情報と番組のタイトルと番組のリンク先とを関連付けて保存することを特徴とする請求項１に記載のネットワーク番組視聴機能付放送受信装置。
【請求項６】
前記ＵＲＬ管理部は、番組のタイトルと番組のリンク先を前記ＵＲＬ生成部から生成せず、前記リンク情報を、前記ネットワークアクセス部、ネットワークを介し、番組のタイトルと番組のリンク先を管理しているサーバに送信し、番組のタイトルと番組のリンク先を取得することを特徴とする請求項１に記載のネットワーク番組視聴機能付放送受信装置。
【請求項７】
ユーザ操作により、選択した番組を一意に特定するリンク情報を保存し、保存したリンク情報を基に、該当する番組に対する操作を可能とする、ネットワークを利用し、番組を取得する放送受信方法であって、
リモコンからの要求を、操作部に転送する赤外線通信ステップと、
前記赤外線通信ステップで転送された前記リモコンからの要求のうち、リンク情報取得要求をリンク情報取得部に、番組一覧表示要求を番組一覧表示部に、再生要求を番組取得部に振り分ける操作ステップと、
前記操作部からのリンク情報取得要求により、チューナー部、ＥＰＧ部、ネットワークアクセス部、リンク情報生成部のいずれかから、リンク情報を取得し、リンク情報管理部に前記リンク情報をリンク情報選択部から転送するリンク情報選択ステップと、
前記リンク情報選択部からのリンク情報取得要求により、前記リンク情報選択部にリンク情報を提供し、前記リンク情報生成部からのチャネル取得要求により、前記リンク情報生成部にチャネルを前記チューナー部から提供するチューナーステップと、
前記リンク情報生成部からの時刻取得要求により、前記リンク情報生成部に時刻をタイマ部から提供するタイマステップと、
前記リンク情報選択部からのリンク情報取得要求により、前記リンク情報選択部にリンク情報を前記ＥＰＧ部から提供するＥＰＧステップと、
前記リンク情報選択部からのリンク情報取得要求により、前記リンク情報選択部にリンク情報を前記ネットワークアクセス部から提供するネットワークアクセスステップと、
前記リンク情報選択部からのリンク情報生成要求により、前記チューナー部にチャンネル取得要求を行い、チャンネルを取得し、前記タイマ部に時刻取得要求を行い、時刻を取得し、初期設定部に地域情報取得要求を行い、地域情報を取得し、チャネルと時刻と地域情報からリンク情報を生成し、前記リンク情報選択部に前記リンク情報を前記リンク情報生成部から提供するリンク情報生成ステップと、
前記リンク情報生成部からの地域情報取得要求により、前記リンク情報生成部に地域情報を前記初期設定部から提供する初期設定ステップと、
前記リンク情報選択部からのリンク情報保存要求により、前記リンク情報を前記リンク情報管理部に保存するリンク情報管理ステップと、
前記リンク情報管理部からのＵＲＬ生成要求により、番組のタイトルと番組のリンク先をＵＲＬ生成部で生成するＵＲＬ生成ステップと、
前記ＵＲＬ生成部にて生成された番組のタイトルと番組のリンク先をＵＲＬ管理部で管理するＵＲＬ管理ステップと、
前記操作部からの番組一覧表示要求により、前記ＵＲＬ管理部に番組のタイトルと番組のリンク先の取得要求を行い、番組のタイトルと番組のリンク先を取得し、表示部に番組一覧の表示を前記番組一覧表示部から要求する番組一覧表示ステップと、
前記番組一覧表示部からの番組一覧と、前記番組取得部からの再生画像を前記表示部で表示する表示ステップと、
前記操作部からの再生要求により、前記ＵＲＬ管理部に番組のタイトルと番組のリンク先の取得要求を行い、番組のタイトルと番組のリンク先を取得し、前記ネットワークアクセス部とネットワークを介し、番組のリンク先である番組格納サーバから番組を取得後、再生し、前記表示部に表示を要求する番組取得ステップを備えることを特徴とするネットワーク番組視聴機能付放送受信方法。
【請求項８】
ユーザ操作により、選択した番組を一意に特定するリンク情報を保存し、保存したリンク情報を基に、該当する番組に対する操作を可能とする、ネットワークを利用し、番組を取得する放送受信装置が実行するプログラムであって、
前記放送受信装置に、
リモコンからの要求を、操作部に転送する赤外線通信ステップと、
前記赤外線通信ステップで転送された前記リモコンからの要求のうち、リンク情報取得要求をリンク情報取得部に、番組一覧表示要求を番組一覧表示部に、再生要求を番組取得部に振り分ける操作ステップと、
前記操作部からのリンク情報取得要求により、チューナー部、ＥＰＧ部、ネットワークアクセス部、リンク情報生成部のいずれかから、リンク情報を取得し、リンク情報管理部に前記リンク情報をリンク情報選択部から転送するリンク情報選択ステップと、
前記リンク情報選択部からのリンク情報取得要求により、前記リンク情報選択部にリンク情報を提供し、前記リンク情報生成部からのチャネル取得要求により、前記リンク情報生成部にチャネルを前記チューナー部から提供するチューナーステップと、
前記リンク情報生成部からの時刻取得要求により、前記リンク情報生成部に時刻をタイマ部から提供するタイマステップと、
前記リンク情報選択部からのリンク情報取得要求により、前記リンク情報選択部にリンク情報を前記ＥＰＧ部から提供するＥＰＧステップと、
前記リンク情報選択部からのリンク情報取得要求により、前記リンク情報選択部にリンク情報を前記ネットワークアクセス部から提供するネットワークアクセスステップと、
前記リンク情報選択部からのリンク情報生成要求により、前記チューナー部にチャンネル取得要求を行い、チャンネルを取得し、前記タイマ部に時刻取得要求を行い、時刻を取得し、初期設定部に地域情報取得要求を行い、地域情報を取得し、チャネルと時刻と地域情報からリンク情報を生成し、前記リンク情報選択部に前記リンク情報を前記リンク情報生成部から提供するリンク情報生成ステップと、
前記リンク情報生成部からの地域情報取得要求により、前記リンク情報生成部に地域情報を前記初期設定部から提供する初期設定ステップと、
前記リンク情報選択部からのリンク情報保存要求により、前記リンク情報を前記リンク情報管理部に保存するリンク情報管理ステップと、
前記リンク情報管理部からのＵＲＬ生成要求により、番組のタイトルと番組のリンク先をＵＲＬ生成部で生成するＵＲＬ生成ステップと、
前記ＵＲＬ生成部にて生成された番組のタイトルと番組のリンク先をＵＲＬ管理部で管理するＵＲＬ管理ステップと、
前記操作部からの番組一覧表示要求により、前記ＵＲＬ管理部に番組のタイトルと番組のリンク先の取得要求を行い、番組のタイトルと番組のリンク先を取得し、表示部に番組一覧の表示を前記番組一覧表示部から要求する番組一覧表示ステップと、
前記番組一覧表示部からの番組一覧と、前記番組取得部からの再生画像を前記表示部で表示する表示ステップと、
前記操作部からの再生要求により、前記ＵＲＬ管理部に番組のタイトルと番組のリンク先の取得要求を行い、番組のタイトルと番組のリンク先を取得し、前記ネットワークアクセス部とネットワークを介し、番組のリンク先である番組格納サーバから番組を取得後、再生し、前記表示部に表示を要求する番組取得ステップを実行させることを特徴とするプログラム。
【請求項９】
ユーザ操作により、選択した番組を一意に特定するリンク情報を保存し、保存したリンク情報を基に、該当する番組に対する操作を可能とする、ネットワークを利用し、番組を取得する放送受信装置が実行するプログラムを記録した、コンピュータで読み取り可能な記録媒体であって、
前記放送受信装置に、
リモコンからの要求を、操作部に転送する赤外線通信ステップと、
前記赤外線通信ステップで転送された前記リモコンからの要求のうち、リンク情報取得要求をリンク情報取得部に、番組一覧表示要求を番組一覧表示部に、再生要求を番組取得部に振り分ける操作ステップと、
前記操作部からのリンク情報取得要求により、チューナー部、ＥＰＧ部、ネットワークアクセス部、リンク情報生成部のいずれかから、リンク情報を取得し、リンク情報管理部に前記リンク情報をリンク情報選択部から転送するリンク情報選択ステップと、
前記リンク情報選択部からのリンク情報取得要求により、前記リンク情報選択部にリンク情報を提供し、前記リンク情報生成部からのチャネル取得要求により、前記リンク情報生成部にチャネルを前記チューナー部から提供するチューナーステップと、
前記リンク情報生成部からの時刻取得要求により、前記リンク情報生成部に時刻をタイマ部から提供するタイマステップと、
前記リンク情報選択部からのリンク情報取得要求により、前記リンク情報選択部にリンク情報を前記ＥＰＧ部から提供するＥＰＧステップと、
前記リンク情報選択部からのリンク情報取得要求により、前記リンク情報選択部にリンク情報を前記ネットワークアクセス部から提供するネットワークアクセスステップと、
前記リンク情報選択部からのリンク情報生成要求により、前記チューナー部にチャンネル取得要求を行い、チャンネルを取得し、前記タイマ部に時刻取得要求を行い、時刻を取得し、初期設定部に地域情報取得要求を行い、地域情報を取得し、チャネルと時刻と地域情報からリンク情報を生成し、前記リンク情報選択部に前記リンク情報を前記リンク情報生成部から提供するリンク情報生成ステップと、
前記リンク情報生成部からの地域情報取得要求により、前記リンク情報生成部に地域情報を前記初期設定部から提供する初期設定ステップと、
前記リンク情報選択部からのリンク情報保存要求により、前記リンク情報を前記リンク情報管理部に保存するリンク情報管理ステップと、
前記リンク情報管理部からのＵＲＬ生成要求により、番組のタイトルと番組のリンク先をＵＲＬ生成部で生成するＵＲＬ生成ステップと、
前記ＵＲＬ生成部にて生成された番組のタイトルと番組のリンク先をＵＲＬ管理部で管理するＵＲＬ管理ステップと、
前記操作部からの番組一覧表示要求により、前記ＵＲＬ管理部に番組のタイトルと番組のリンク先の取得要求を行い、番組のタイトルと番組のリンク先を取得し、表示部に番組一覧の表示を前記番組一覧表示部から要求する番組一覧表示ステップと、
前記番組一覧表示部からの番組一覧と、前記番組取得部からの再生画像を前記表示部で表示する表示ステップと、
前記操作部からの再生要求により、前記ＵＲＬ管理部に番組のタイトルと番組のリンク先の取得要求を行い、番組のタイトルと番組のリンク先を取得し、前記ネットワークアクセス部とネットワークを介し、番組のリンク先である番組格納サーバから番組を取得後、再生し、前記表示部に表示を要求する番組取得ステップを実行させるプログラムを記録することを特徴とする記録媒体。
【発明の詳細な説明】
【技術分野】
【０００１】
本発明は、ネットワーク通信機能が付加されたテレビジョン、並びにビデオレコーダなどの放送受信装置に関するものである。
【背景技術】
【０００２】
近年、テレビジョン、ビデオレコーダは高画質、高機能化が進み様々な画像を取り扱うことができるようになってきている。特に、ネットワーク通信機能の追加により、ネットワークを利用した映像配信も可能なものもある。更に、地上波はアナログ放送からデジタル放送に徐々に移行し、放送とネットワークの親和性も向上しつつある。
また、放送している番組に関する情報をテロップなどで画面上に表示するだけでなく、ユーザがネットワークを利用し能動的に情報を取得することもできる。
【０００３】
ユーザが能動的に情報を取得する方法としては、視聴した番組の１シーンから再生を行ったり、シーンに関連する情報を取得したりするものがあった（例えば、特許文献１参照）。図２は、前記特許文献１に記載された従来の放送受信システムを示すものである。
【０００４】
図２において、テレビ放送局２０１はテレビ番組の放送波を放送衛星２０２に対し放出する。また、テレビＷｅｂ情報サービスサーバ２０４の運営業者に対し番組データを提供する。テレビ受信機２０３は受信した放送番組の放送中にユーザによって指定されたシーンのフレーム番号等を記憶し、番組終了後、インターネット２０８を介してテレビＷｅｂ情報サービスサーバ２０４と接続し、記憶したフレーム番号に対応する画像を、インターネット２０８を介してテレビＷｅｂ情報サービスサーバ２０４から受信して表示する。ユーザが画像の一部を選択すると前記選択した部分の画像に係わる情報を有するリンク先サイトのＷｅｂページの閲覧やショッピング等を行うことができる。
【特許文献１】特開２００３−００９０２３号公報
【発明の開示】
【発明が解決しようとする課題】
【０００５】
しかしながら、前記従来の構成では、番組や画像に係わる情報の取得や特定のシーンをストリーミングとして取得することしかできず、番組自体をストリーミングとして取得することができないという課題を有していた。
【０００６】
本発明は、前記従来の課題を解決するもので、視聴中の番組を特定し、前記番組を特定する情報を、ネットワークを介して番組格納サーバに通知し、番組格納サーバが番組を特定した情報に基づき番組の配信先を含む情報を、ネットワークを介して放送受信装置に通知することにより、特定した番組をユーザの望む時刻からストリーミングにより視聴することができる放送受信装置を提供することを目的とする。
【課題を解決するための手段】
【０００７】
前記従来の課題を解決するために、本発明のネットワーク番組視聴機能付放送受信装置は、ユーザ操作により、選択した番組を一意に特定するリンク情報を保存し、保存したリンク情報を基に、該当する番組に対する操作を可能とする、ネットワークを利用し、番組を取得する放送受信装置であって、
リモコンからの要求を、操作部に転送する赤外線通信部と、前記赤外線通信部からのリンク情報取得要求をリンク情報取得部に、番組一覧表示要求を番組一覧表示部に、再生要求を番組取得部に振り分ける操作部と、前記操作部からのリンク情報取得要求により、チューナー部、ＥＰＧ部、ネットワークアクセス部、リンク情報生成部のいずれかから、リンク情報を取得し、リンク情報管理部に前記リンク情報を転送するリンク情報選択部と、前記リンク情報選択部からのリンク情報取得要求により、前記リンク情報選択部にリンク情報を提供し、前記リンク情報生成部からのチャネル取得要求により、前記リンク情報生成部にチャネルを提供するチューナー部と、前記リンク情報生成部からの時刻取得要求により、前記リンク情報生成部に時刻を提供するタイマ部と、前記リンク情報選択部からのリンク情報取得要求により、前記リンク情報選択部にリンク情報を提供するＥＰＧ部と、前記リンク情報選択部からのリンク情報取得要求により、前記リンク情報選択部にリンク情報を提供するネットワークアクセス部と、前記リンク情報選択部からのリンク情報生成要求により、前記チューナー部にチャンネル取得要求を行い、チャンネルを取得し、タイマ部に時刻取得要求を行い、時刻を取得し、初期設定部に地域情報取得要求を行い、地域情報を取得し、チャネルと時刻と地域情報からリンク情報を生成し、前記リンク情報選択部に前記リンク情報を提供するリンク情報生成部と、前記リンク情報生成部からの地域情報取得要求により、前記リンク情報生成部に地域情報を提供する初期設定部と、前記リンク情報選択部からのリンク情報保存要求により、前記リンク情報を保存するリンク情報管理部と、前記リンク情報管理部からのＵＲＬ生成要求により、番組のタイトルと番組のリンク先を生成するＵＲＬ生成部と、前記ＵＲＬ生成部にて生成された番組のタイトルと番組のリンク先を管理するＵＲＬ管理部と、前記操作部からの番組一覧表示要求により、ＵＲＬ管理部に番組のタイトルと番組のリンク先の取得要求を行い、番組のタイトルと番組のリンク先を取得し、表示部に番組一覧の表示を要求する番組一覧表示部と、前記番組一覧表示部からの番組一覧と、番組取得部からの再生画像を表示する表示部と、前記操作部からの再生要求により、ＵＲＬ管理部に番組のタイトルと番組のリンク先の取得要求を行い、番組のタイトルと番組のリンク先を取得し、ネットワークアクセス部とネットワークを介し、番組のリンク先である番組格納サーバから番組を取得後、再生し、表示部に表示を要求する番組取得部を備えることを特徴とする。
【０００８】
また、本発明のネットワーク番組視聴機能付放送受信装置は、前記番組取得部が、前記リモコン、前記赤外線通信部、前記操作部を経由した録画要求により、前記ＵＲＬ管理部に番組のタイトルと番組のリンク先の取得要求を行い、番組のタイトルと番組のリンク先を取得し、前記ネットワークアクセス部とネットワークを介し、番組のリンク先である番組格納サーバから番組を取得後、再生し、前記表示部に表示を要求すると同時に、番組保存部に番組の保存を要求することを特徴とする。
【０００９】
また、本発明のネットワーク番組視聴機能付放送受信装置は、前記リンク情報は、チャンネル、時刻、地域情報からなり、チャネルと地域情報とにより、番組が格納されている番組格納サーバを特定し、時刻により、番組を特定することを特徴とする。
【００１０】
また、本発明のネットワーク番組視聴機能付放送受信装置は、前記リンク情報選択部が、チューナー部、ＥＰＧ部、ネットワークアクセス部、リンク情報生成部に存在する有効なリンク情報を全て取得し、前記リンク情報管理部に転送することを特徴とする。
【００１１】
また、本発明のネットワーク番組視聴機能付放送受信装置は、前記ＵＲＬ管理部が、前記リンク情報と番組のタイトルと番組のリンク先とを関連付けて保存することを特徴とする。
【００１２】
また、本発明のネットワーク番組視聴機能付放送受信装置は、前記ＵＲＬ管理部が、番組のタイトルと番組のリンク先を前記ＵＲＬ生成部から生成せず、前記リンク情報を、前記ネットワークアクセス部、ネットワークを介し、番組のタイトルと番組のリンク先を管理しているサーバに送信し、番組のタイトルと番組のリンク先を取得することを特徴とする。
【００１３】
また、本発明のネットワーク番組視聴機能付放送受信方法は、ユーザ操作により、選択した番組を一意に特定するリンク情報を保存し、保存したリンク情報を基に、該当する番組に対する操作を可能とする、ネットワークを利用し、番組を取得する放送受信方法であって、
リモコンからの要求を、操作部に転送する赤外線通信ステップと、
前記赤外線通信ステップで転送された前記リモコンからの要求のうち、リンク情報取得要求をリンク情報取得部に、番組一覧表示要求を番組一覧表示部に、再生要求を番組取得部に振り分ける操作ステップと、
前記操作部からのリンク情報取得要求により、チューナー部、ＥＰＧ部、ネットワークアクセス部、リンク情報生成部のいずれかから、リンク情報を取得し、リンク情報管理部に前記リンク情報をリンク情報選択部から転送するリンク情報選択ステップと、
前記リンク情報選択部からのリンク情報取得要求により、前記リンク情報選択部にリンク情報を提供し、前記リンク情報生成部からのチャネル取得要求により、前記リンク情報生成部にチャネルを前記チューナー部から提供するチューナーステップと、
前記リンク情報生成部からの時刻取得要求により、前記リンク情報生成部に時刻をタイマ部から提供するタイマステップと、
前記リンク情報選択部からのリンク情報取得要求により、前記リンク情報選択部にリンク情報を前記ＥＰＧ部から提供するＥＰＧステップと、
前記リンク情報選択部からのリンク情報取得要求により、前記リンク情報選択部にリンク情報を前記ネットワークアクセス部から提供するネットワークアクセスステップと、
前記リンク情報選択部からのリンク情報生成要求により、前記チューナー部にチャンネル取得要求を行い、チャンネルを取得し、前記タイマ部に時刻取得要求を行い、時刻を取得し、初期設定部に地域情報取得要求を行い、地域情報を取得し、チャネルと時刻と地域情報からリンク情報を生成し、前記リンク情報選択部に前記リンク情報を前記リンク情報生成部から提供するリンク情報生成ステップと、
前記リンク情報生成部からの地域情報取得要求により、前記リンク情報生成部に地域情報を前記初期設定部から提供する初期設定ステップと、
前記リンク情報選択部からのリンク情報保存要求により、前記リンク情報を前記リンク情報管理部に保存するリンク情報管理ステップと、
前記リンク情報管理部からのＵＲＬ生成要求により、番組のタイトルと番組のリンク先をＵＲＬ生成部で生成するＵＲＬ生成ステップと、
前記ＵＲＬ生成部にて生成された番組のタイトルと番組のリンク先をＵＲＬ管理部で管理するＵＲＬ管理ステップと、
前記操作部からの番組一覧表示要求により、前記ＵＲＬ管理部に番組のタイトルと番組のリンク先の取得要求を行い、番組のタイトルと番組のリンク先を取得し、表示部に番組一覧の表示を前記番組一覧表示部から要求する番組一覧表示ステップと、
前記番組一覧表示部からの番組一覧と、前記番組取得部からの再生画像を前記表示部で表示する表示ステップと、
前記操作部からの再生要求により、前記ＵＲＬ管理部に番組のタイトルと番組のリンク先の取得要求を行い、番組のタイトルと番組のリンク先を取得し、前記ネットワークアクセス部とネットワークを介し、番組のリンク先である番組格納サーバから番組を取得後、再生し、前記表示部に表示を要求する番組取得ステップを備えることを特徴とする。
【００１４】
好ましくは、この放送受信方法は、一連の処理手順を放送受信装置に実行させるためのプログラムの形式で提供される。このプログラムは、コンピュータ読み取り可能な記録媒体に記録されてもよい。
【発明の効果】
【００１５】
本発明によれば、ユーザは、視聴中の番組を特定するだけで、ネットワークを介した番組格納サーバ上に存在する特定した番組のＵＲＬを得、ユーザの望む時刻からストリーミングにより視聴することができる。
【００１６】
また、視聴途中の番組であっても、ネットワークを介した番組格納サーバ上に番組が存在するため、番組の最初から視聴することができる。
【００１７】
また、放送受信装置は、番組のリンク先を保管し、番組自体を録画しないため、放送受信装置に大容量の記録メディア（例えば、ハードディスクや、光ディスク、シリコンディスク）を搭載する必要ないため、装置のコストダウン、小型化を図ることができる。
【００１８】
また、チューナーから取得したリンク情報、あるいは、ＥＰＧから取得したリンク情報、あるいは、ネットワークから取得したリンク情報、あるいは放送受信装置自体が生成したリンク情報のいずれかのリンク情報を利用することにより、リンク情報がないという事態を減少させることができる。
【００１９】
また、既存の放送受信装置に存在する地域情報、チャンネル、現在時刻を利用するため、容易にリンク情報を生成することができる。
【００２０】
また、ユーザに対しては、番組一覧として表示されるため、番組の選択が容易になる。
【００２１】
また、ユーザは、番組を視聴する際、放送ではなく、ネットワークのストリーミングとして視聴するため、番組提供者の新たな収入と成り得る。
【発明を実施するための最良の形態】
【００２２】
以下本発明の実施の形態について、図面を参照しながら説明する。
図１は、本発明の実施の形態におけるネットワーク番組視聴機能付放送受信装置の構成を示す図である。
このネットワーク番組視聴機能付放送受信装置１０３は、ユーザ１０１によって操作されるリモコン１０２からの赤外線信号を受信し、ネットワーク１０４を介して、番組格納サーバ１０５に番組取得を要求する。
ネットワーク番組視聴機能付放送受信装置１０３は、リモコン１０２からの要求を、操作部１０７に転送する赤外線通信部１０６と、赤外線通信部１０６からのリンク情報取得要求をリンク情報選択部１０８に、番組一覧表示要求を番組一覧表示部１１６に、再生要求を番組取得部１２０に振り分ける操作部１０７と、操作部１０７からのリンク情報取得要求により、チューナー部１０９、ＥＰＧ部１１３、ネットワークアクセス部１１４、リンク情報生成部１１０のいずれかから、リンク情報を取得し、リンク情報管理部１１５に取得したリンク情報を転送するリンク情報選択部１０８と、リンク情報選択部１０８からのリンク情報取得要求により、リンク情報選択部１０８にリンク情報を提供し、リンク情報生成部１１０からのチャネル取得要求により、リンク情報生成部１１０にチャネルを提供するチューナー部１０９と、リンク情報生成部１１０からの時刻取得要求により、リンク情報生成部１１０に時刻を提供するタイマ部１１１と、リンク情報選択部１０８からのリンク情報取得要求により、リンク情報選択部１０８にリンク情報を提供するＥＰＧ部１１３と、リンク情報選択部１０８からのリンク情報取得要求により、リンク情報選択部１０８にリンク情報を提供するネットワークアクセス部１１４と、リンク情報選択部１０８からのリンク情報生成要求により、チューナー部１０９にチャンネル取得要求を行い、チャンネルを取得し、タイマ部１１１に時刻取得要求を行い、時刻を取得し、初期設定部１１２に地域情報取得要求を行い、地域情報を取得し、チャネルと時刻と地域情報からリンク情報を生成し、リンク情報選択部１０８にリンク情報を提供するリンク情報生成部１１０と、リンク情報生成部１１０からの地域情報取得要求により、リンク情報生成部１１０に地域情報を提供する初期設定部１１２と、リンク情報選択部１０８からのリンク情報保存要求により、リンク情報を保存するリンク情報管理部１１５と、リンク情報管理部１１５からのＵＲＬ生成要求により、番組のタイトルと番組のリンク先を生成するＵＲＬ生成部１１８と、ＵＲＬ生成部１１８にて生成された番組のタイトルと番組のリンク先を管理するＵＲＬ管理部１１７と、操作部１０７からの番組一覧表示要求により、ＵＲＬ管理部１１７に番組のタイトルと番組のリンク先の取得要求を行い、番組のタイトルと番組のリンク先を取得し、表示部に番組一覧の表示を要求する番組一覧表示部１１６と、番組一覧表示部１１６からの番組一覧と、番組取得部１２０からの再生画像を表示する表示部１１９と、操作部１０７からの再生要求により、ＵＲＬ管理部に番組のタイトルと番組のリンク先の取得要求を行い、番組のタイトルと番組のリンク先を取得し、ネットワークアクセスステップとネットワークを介し、番組のリンク先であるネットワークアクセス部１１４とネットワーク１０４を介し、番組格納サーバ１０５から番組を取得後、再生し、表示部１１９に表示を要求する番組取得部１２０を備えている。
【００２３】
次に、本発明の実施形態のネットワーク番組視聴機能付放送受信装置を利用してリンク情報を取得する手順について図３のシーケンスを用いて説明する。
ユーザ１０１がリモコン１０２を操作し、リンク情報の取得を要求する。
リモコン１０２はネットワーク番組視聴機能付放送受信装置１０３に赤外線で、リンク情報取得要求を送信する。
ネットワーク番組視聴機能付放送受信装置１０３の赤外線通信部１０６は、受信したリンク情報取得要求を操作部１０７に転送する。
操作部１０７は、リンク情報取得要求を受け取ると、リンク情報選択部１０８に転送するように判断し、リンク情報選択部１０８に転送する。
リンク情報選択部１０８は、リンク情報取得要求を受け取ると、チューナー部１０９にリンク情報取得を要求する。
チューナー部１０９は、リンク情報取得の要求を受けると、チューナー部１０９で保持しているリンク情報をリンク情報選択部１０８に提供する。ここで、チューナー部１０９で保持しているリンク情報は、データ放送などを利用して予め取得したものである。リンク情報は、チャンネル、時刻、地域情報からなる。
リンク情報選択部１０８は、リンク情報を受け取ると、リンク情報管理部１１５に、リンク情報と共にリンク情報保存要求を行う。
リンク情報管理部１１５は、リンク情報とリンク情報保存要求を受け取ると、リンク情報を保存し、ＵＲＬ生成部１１８に対して、リンク情報と共にＵＲＬ情報生成要求を行う。
ＵＲＬ生成部１１８は、リンク情報と共にＵＲＬ情報生成要求を受け取ると、ＵＲＬ情報を生成する。生成されたＵＲＬ情報は、ＵＲＬ管理部１１７に送信される。ＵＲＬ情報は、番組のタイトルと番組のリンク先からなる。ＵＲＬ情報の生成については後述する。
ＵＲＬ管理部１１７は、ＵＲＬ情報を受け取ると、ＵＲＬ情報を保存する。
図３のシーケンスでは、リンク情報選択部１０８は、チューナー部１０９のみにリンク情報の取得を要求しているが、リンク情報生成部１１０、ＥＰＧ部１１３、ネットワークアクセス部１１４のいずれか、あるいは、全てにリンク情報の取得を要求してもよい。
リンク情報生成部１１０に要求した場合の処理は後述する。
ＥＰＧ部１１３のリンク情報は、放送波を経由で得たＥＰＧ情報に重畳されたもの、あるいは、ネットワーク経由で得たＥＰＧ情報に重畳されたものである。
また、ネットワークアクセス部１１４のリンク情報は、ネットワークの先にあるリンク情報を管理しているサーバから取得したものである。
複数のブロックに要求を行った場合、複数の応答があるため、リンク情報選択部１０８は、いずれかの有効なリンク情報を利用する。
【００２４】
次に、本発明の実施形態のネットワーク番組視聴機能付放送受信装置を利用してリンク情報を生成する手順について図４のシーケンスを用いて説明する。
ユーザ１０１からリンク情報選択部１０８までの処理は、前述と同様である。
リンク情報選択部１０８は、リンク情報取得要求を受け取ると、リンク情報生成部１１０にリンク情報の生成を要求する。
リンク情報生成部１１０は、リンク情報生成の要求を受け取ると、チューナー部１０９に対して、チャネル取得要求を行い、タイマ部１１１に対して、時刻取得要求を行い、初期設定部１１２に対して、地域情報取得要求を行う。
チューナー部１０９は、チャネル取得要求を受け取ると、現在、視聴中のチャネルを、リンク情報生成部１１０に通知する。
タイマ部１１１は、時刻取得要求を受け取ると、現在の時刻を、リンク情報生成部１１０に通知する。
初期設定部１１２は、地域情報取得要求を受け取ると、ネットワーク番組視聴機能付放送受信装置１０３の初期設定にて設定された地域情報を、リンク情報生成部１１０に通知する。
リンク情報生成部は、チューナー部１０９からチャネルを、タイマ部１１１から、時刻を、初期設定部１１２から地域情報を受け取ると、チャネル、時刻、地域情報を関連付けてリンク情報を生成する。生成されたリンク情報は、リンク情報選択部１０８に通知する。
リンク情報選択部１０８からＵＲＬ管理部１１７までの処理は、前述と同様である。
【００２５】
次に、本発明の実施形態のネットワーク番組視聴機能付放送受信装置を利用して番組一覧を表示する手順について図５のシーケンスを用いて説明する。
ユーザ１０１がリモコン１０２を操作し、番組一覧の表示を要求する。
リモコン１０２はネットワーク番組視聴機能付放送受信装置１０３に赤外線で、番組一覧表示要求を送信する。
ネットワーク番組視聴機能付放送受信装置１０３の赤外線通信部１０６は、受信した番組一覧表示要求を操作部１０７に転送する。
操作部１０７は、番組一覧表示要求を受け取ると、番組一覧表示部１１６に転送するように判断し、番組一覧表示部１１６に転送する。
番組一覧表示部１１６は、番組一覧表示要求を受け取ると、ＵＲＬ管理部１１７に対して、保存しているすべてのＵＲＬ情報の取得を要求する。
ＵＲＬ管理部１１７は、ＵＲＬ情報の取得要求を受け取ると、既に保存されているすべてのＵＲＬ情報を番組一覧表示部１１６に通知する。
番組一覧表示部１１６は、ＵＲＬ情報を受け取ると、受け取ったＵＲＬ情報と共に表示要求を表示部１１９に通知する。
表示部１１９は、ＵＲＬ情報と表示要求を受け取ると、ＵＲＬ情報の中の番組のタイトルを表示する。ここで、表示は、番組のタイトルだけでなく、番組のリンク先を表示してもよい。また、番組のタイトルを表示せずに、番組のリンク先のみ表示してもよい。
ユーザ１０１は、表示されることにより番組一覧を確認することができる。
【００２６】
次に、本発明の実施形態のネットワーク番組視聴機能付放送受信装置を利用して番組一覧に表示されている番組を再生する手順について図６のシーケンスを用いて説明する。
ユーザ１０１がリモコン１０２を操作し、番組一覧から番組を選択し再生を要求する。
リモコン１０２はネットワーク番組視聴機能付放送受信装置１０３に赤外線で、選択した番組の情報が含まれる再生要求を送信する。
ネットワーク番組視聴機能付放送受信装置１０３の赤外線通信部１０６は、受信した再生要求を操作部１０７に転送する。
操作部１０７は、再生要求を受け取ると、番組取得部１２０に転送するように判断し、番組取得部１２０に転送する。
番組取得部１２０は、再生要求を受け取ると、ＵＲＬ管理部１１７に対して、選択した番組のＵＲＬ情報の取得を要求する。
ＵＲＬ管理部１１７は、ＵＲＬ情報の取得要求を受け取ると、選択した番組のＵＲＬ情報を番組取得部１２０に通知する。
番組取得部１２０は、ＵＲＬ情報を受け取ると、受け取ったＵＲＬ情報の中の番組のリンク先を基に、ネットワークアクセス部１１４、ネットワーク１０４を介して番組格納サーバ１０５にアクセスし、番組を取得する。
番組取得部１２０は、番組を取得すると、番組と共に表示要求を表示部１１９に通知する。
表示部１１９は、番組と表示要求を受け取ると、番組を再生する。
ユーザ１０１は、表示されることにより番組を視聴することができる。
【００２７】
次に、本発明の実施形態のネットワーク番組視聴機能付放送受信装置を利用して番組一覧に表示されている番組を録画する手順について図７のシーケンスを用いて説明する。
ユーザ１０１がリモコン１０２を操作し、番組一覧から番組を選択し録画を要求する。
リモコン１０２はネットワーク番組視聴機能付放送受信装置１０３に赤外線で、選択した番組の情報が含まれる録画要求を送信する。
ネットワーク番組視聴機能付放送受信装置１０３の赤外線通信部１０６は、受信した録画要求を操作部１０７に転送する。
操作部１０７は、録画要求を受け取ると、番組取得部１２０に転送するように判断し、番組取得部１２０に転送する。
番組取得部１２０は、録画要求を受け取ると、再生要求を受け取った時と同様の処理を行う。
番組取得部１２０は、番組を取得すると、番組と共に表示要求を表示部１１９に通知すると共に、番組保存部１２１に対し、番組の保存を要求する。
表示部１１９は、番組と表示要求を受け取ると、番組を再生する。
番組保存部１２１は、番組の保存要求を受け取ると、番組を保存する。
ユーザ１０１は、表示されることにより番組を視聴することができ、番組も同時に録画することができる。
ここでは、視聴と録画を同時に行っている例を挙げているが、録画を単独で行ってもよい。
【００２８】
次に、図８に示すフローチャートを参照して本発明の実施形態に係る操作部１０７の処理内容について説明する。
まず、操作部１０７は、入力された要求に基づいて、どのブロックに要求を転送するかを判断する。
リンク情報取得要求判断ステップ（８０１）では、受け取った要求が、リンク情報取得要求であるかどうかを判断する。リンク情報要求であれば、リンク情報選択部転送ステップ（８０２）を実行し、リンク情報要求でなければ、番組一覧表示要求判断（８０３）を実行する。
番組一覧表示要求判断ステップ（８０３）では、受け取った要求が、番組一覧表示要求であるかどうかを判断する。番組一覧表示要求であれば、番組一覧表示部転送ステップ（８０４）を実行し、番組一覧表示要求でなければ、再生要求判断（８０５）を実行する。
再生要求判断ステップ（８０５）では、受け取った要求が、再生要求であるかどうかを判断する。再生要求であれば、番組取得部転送ステップ（８０６）を実行し、再生要求でなければ、録画要求判断（８０７）を実行する。
録画要求判断ステップ（８０７）では、受け取った要求が、録画要求であるかどうかを判断する。録画要求であれば、番組取得部転送ステップ（８０６）を実行し、録画要求でなければ、なにもしない。
【００２９】
次に、図９に示すフローチャートを参照して本発明の実施形態に係るＵＲＬ生成部１１８の処理内容について説明する。
ＵＲＬ生成部１１８は、チャネル、地域情報、時刻と内部に持つ変換テーブルを基にＵＲＬ情報を生成する。
先ず、番組格納サーバ検索ステップ（９０１）では、入力されたチャネル、地域情報を、図１０の番組格納サーバ検索テーブルに照らし合わせて番組格納サーバを特定する。特定した結果は、「ｈｔｔｐ：／／ｘ．ｙ．ｚ．＊／」のように取得される。ここでは、「ｈｔｔｐ：／／ｘ．ｙ．ｚ．＊／」としているが、番組格納サーバが特定できれば、いかなる書式であってもよい。
次に、番組検索ステップ（９０２）では、入力された時刻を図１１の番組検索テーブルに照らし合わせて番組を特定する。特定した結果は、番組のタイトル「○○○」、番組のＵＲＬ「２００７０９０１１１３０．ｈｔｍｌ」のように取得される。ここでは、番組のＵＲＬは「２００７０９０１１１３０．ｈｔｍｌ」としているが、番組が特定できれば、いかなる書式であってもよい。
次に、番組のリンク先生成ステップ（９０３）では、番組格納サーバ検索ステップ（９０１）の結果と、番組検索ステップ（９０２）の結果を組み合わせて、番組のリンク先を生成する。前記の結果にてリンク先すると「ｈｔｔｐ：／／ｘ．ｙ．ｚ．＊／２００７０９０１１１３０．ｈｔｍｌ」となる。
【産業上の利用可能性】
【００３０】
本発明にかかるネットワーク番組視聴機能付放送受信装置は、視聴中の番組を特定するだけで、ネットワークを介した番組格納サーバ上に存在する特定した番組のリンク先を得、前記リンク先の番組を再生することにより、ユーザの望む時刻に、番組の最初から視聴でき、ユーザの利便性が向上し、また、番組のリンク先を保管し、番組自体を録画しないため、放送受信装置に大容量の記録メディアを搭載する必要ないため、装置製造者はコストダウンを行え、更に、ユーザが、放送による番組だけでなく、サーバ上の番組を視聴するため、番組提供者の新たな収入と成り得るなど有用である。
【図面の簡単な説明】
【００３１】
【図１】本発明の実施の形態におけるネットワーク番組視聴機能付放送受信装置の構成を示す図
【図２】従来の番組再表示方法及びテレビＷｅｂ情報サービスシステムの構成を示す図
【図３】本発明の実施形態におけるネットワーク番組視聴機能付放送受信装置を利用してリンク情報を取得する手順を表すシーケンス
【図４】本発明の実施形態におけるネットワーク番組視聴機能付放送受信装置を利用してリンク情報を生成する手順を表すシーケンス
【図５】本発明の実施形態におけるネットワーク番組視聴機能付放送受信装置を利用して番組一覧を表示する手順を表すシーケンス
【図６】本発明の実施形態におけるネットワーク番組視聴機能付放送受信装置を利用して番組一覧に表示されている番組を再生する手順を表すシーケンス
【図７】本発明の実施形態におけるネットワーク番組視聴機能付放送受信装置を利用して番組一覧に表示されている番組を録画する手順を表すシーケンス
【図８】図１の操作部１０７の処理を表すフローチャート
【図９】図１のＵＲＬ生成部１１８の処理を表すフローチャート
【図１０】図９の番組格納サーバ検索ステップ（９０１）で利用する番組格納サーバ検索テーブルを示す図
【図１１】図９の番組検索ステップ（９０２）で利用する番組検索テーブルを示す図
【符号の説明】
【００３２】
１０１  ユーザ
１０２  リモコン
１０３  ネットワーク番組視聴機能付放送受信装置
１０４  ネットワーク
１０５  番組格納サーバ
１０６  赤外線通信部
１０７  操作部
１０８  リンク情報選択部
１０９  チューナー部
１１０  リンク情報生成部
１１１  タイマ部
１１２  初期設定部
１１３  ＥＰＧ部
１１４  ネットワークアクセス部
１１５  リンク情報管理部
１１６  番組一覧表示部
１１７  ＵＲＬ管理部
１１８  ＵＲＬ生成部
１１９  表示部
１２０  番組取得部
１２１  番組保存部
８０１  リンク情報取得要求判断ステップ
８０２  リンク情報選択部転送ステップ
８０３  番組一覧表示要求判断ステップ
８０４  番組一覧表示部転送ステップ
８０５  再生要求判断ステップ
８０６  番組取得部転送ステップ
８０７  録画要求判断ステップ
９０１  番組格納サーバ検索ステップ
９０２  番組検索ステップ
９０３  番組のリンク先生成ステップ
【図１】
2009105655.tif 000003
【図２】
2009105655.tif 000004
【図３】
2009105655.tif 000005
【図４】
2009105655.tif 000006
【図５】
2009105655.tif 000007
【図６】
2009105655.tif 000008
【図７】
2009105655.tif 000009
【図８】
2009105655.tif 000010
【図９】
2009105655.tif 000011
【図１０】
2009105655.tif 000012
【図１１】
2009105655.tif 000013